(57)【要約】表示装置は、画像を表示可能な表示領域、及び表示領域を取り囲む非表示領域を有する液晶パネル（１１）と、液晶パネル（１１）に貼り合わせられるものであって、表示領域と平面に視て重畳する表示重畳領域、及び非表示領域と平面に視て重畳する非表示重畳領域を有する機能性パネル（１２）と、液晶パネル（１１）と機能性パネル（１２）との間に介在するとともに光の照射により硬化される光硬化性接着材（ＧＬ）と、機能性パネル（１２）における表示重畳領域に配されるとともに透光性導電材料からなる透光電極部（２４，２９）と、機能性パネル（１２）における非表示重畳領域に配されるとともに遮光性金属材料からなる遮光配線部（２５，３１）と、遮光配線部（２５，３１）を部分的に切り欠くことで形成されるとともに光を透過する切欠透光部（３５，３６）とを備える。
2012144434.tif 000002
【特許請求の範囲】
【請求項１】
画像を表示可能な表示領域、及び前記表示領域を取り囲む非表示領域を有する表示パネルと、
前記表示パネルに貼り合わせられるものであって、前記表示領域と平面に視て重畳する表示重畳領域、及び前記非表示領域と平面に視て重畳する非表示重畳領域を有する機能性パネルと、
前記表示パネルと前記機能性パネルとの間に介在するとともに光の照射により硬化される光硬化性接着材と、
前記機能性パネルにおける前記表示重畳領域に配されるとともに透光性導電材料からなる透光電極部と、
前記機能性パネルにおける前記非表示重畳領域に配されるとともに遮光性金属材料からなる遮光配線部と、
前記遮光配線部を部分的に切り欠くことで形成されるとともに前記光を透過する切欠透光部とを備える表示装置。
【請求項２】
前記遮光配線部には、前記透光電極部に対して接続されることで、前記透光電極部に電位を供給可能な電位供給配線部が含まれている請求項１記載の表示装置。
【請求項３】
前記表示重畳領域に配された前記透光電極部と、前記非表示重畳領域に配された前記電位供給配線部との少なくともいずれか一方には、相手の領域側に向けて延出するとともに相手と接続される延出接続部が設けられている請求項２記載の表示装置。
【請求項４】
前記延出接続部は、前記透光電極部に設けられるとともに前記非表示重畳領域側に向けて延出して前記電位供給配線部と接続されている請求項３記載の表示装置。
【請求項５】
前記機能性パネルには、外部回路に接続されたフレキシブル基板が接続されており、
前記電位供給配線部のうち、前記透光電極部に接続された側とは反対側の端部には、前記フレキシブル基板に接続される端子部が形成されている請求項２から請求項４のいずれか１項に記載の表示装置。
【請求項６】
前記遮光配線部には、グランド接続されたグランド配線部が含まれており、
前記グランド配線部は、前記表示重畳領域に加えて前記電位供給配線部を取り囲む略環状をなしている請求項２から請求項５のいずれか１項に記載の表示装置。
【請求項７】
前記遮光配線部は、前記機能性パネルにおける異なる面にそれぞれ形成され且つ少なくとも一部同士が平面に視て重畳する第１遮光配線部と、第２遮光配線部とからなるのに対し、前記切欠透光部は、前記第１遮光配線部に形成された第１切欠透光部と、前記第２遮光配線部に形成された第２切欠透光部とからなるものとされており、
前記第１切欠透光部と前記第２切欠透光部とが平面に視て重畳するよう配されている請求項１から請求項６のいずれか１項に記載の表示装置。
【請求項８】
前記機能性パネルは、前記表示パネルに表示される画像を視差により分離することが可能な視差バリアパネルとされる請求項１から請求項７のいずれか１項に記載の表示装置。
【請求項９】
前記視差バリアパネルは、互いに対向状をなす一対の基板と、前記一対の基板間に封入される液晶とを有していて、前記一対の基板における前記液晶側の板面には、それぞれ前記透光電極部が互いに対向状をなすよう形成され、且つ対をなす前記透光電極部間の電圧値を制御することで、光を遮る複数のバリア部と、隣り合う前記バリア部間に配されるとともに光を透過するバリア開口部とが形成可能とされる請求項８記載の表示装置。
【請求項１０】
前記透光電極部は、前記一対の基板のいずれか一方の基板のうち、前記液晶側とは反対側の板面にも形成されるとともに、当該表示装置の使用者が入力した位置を検出するタッチパネルパターンを構成している請求項９記載の表示装置。
【請求項１１】
前記機能性パネルは、前記透光電極部が当該表示装置の使用者が入力した位置を検出するタッチパネルパターンを構成するタッチパネルとされる請求項１から請求項１０のいずれか１項に記載の表示装置。
【請求項１２】
前記切欠透光部は、前記遮光配線部の長さ方向及び幅方向についてそれぞれ複数ずつ並列して配されている請求項１から請求項１１のいずれか１項に記載の表示装置。
【請求項１３】
複数の前記切欠透光部は、大きさ及び配列ピッチが等しいものとされる請求項１２記載の表示装置。
【請求項１４】
前記切欠透光部は、前記遮光配線部の長さ方向に並行して延在する形態とされる請求項１から請求項１１のいずれか１項に記載の表示装置。
【請求項１５】
前記表示パネルは、一対の基板間に液晶を封入してなる液晶パネルとされており、
前記液晶パネルに対して光を照射可能な照明装置を備える請求項１から請求項１４のいずれか１項に記載の表示装置。
【発明の詳細な説明】
【技術分野】
【０００１】
本発明は、表示装置に関する。
【背景技術】
【０００２】
携帯電話、スマートフォン、ＰＤＡなどの携帯型の情報端末装置、コンピュータやテレビ受信装置などの電子機器には、液晶パネルなどの表示パネルを備えた表示装置が用いられている。このような表示装置において、左右両眼の見え方の相違、いわゆる両眼視差から立体像を感知する人間の目の特性を利用した「視差バリア方式」と称される立体画像を表示する機能を備えたものが知られている。このような立体画像を表示する機能を備えた表示装置の一例としては、下記特許文献１に記載されたものが知られており、このものでは、画像を表示する液晶パネルに対してバリア遮光層を有する視差バリアパネルを接着材によって貼り合わせた構成となっている。
【先行技術文献】
【特許文献】
【０００３】
【特許文献１】特許第４５８８７６１号公報
【０００４】
（発明が解決しようとする課題）
上記した特許文献１に記載されたものでは、視差バリアパネルのバリア遮光層が固定的に設けられていて、常時立体画像を表示する構成とされる。その一方で、立体画像の表示と、平面画像の表示とを切り替えるため、視差バリアパネルとして、一対の基板間に液晶層を挟み込んだ構成のスイッチ液晶パネルを用いる場合がある。このスイッチ液晶パネルを用いるに際しては、スイッチ液晶パネルの額縁部分、つまり表示用の液晶パネルの非表示領域と平面視重畳する部分に遮光性金属材料からなる遮光配線部が設けられる場合がある。その上で、このスイッチ液晶パネルを、表示用の液晶パネルに対して貼り合わせるに際して、例えば接着材として紫外線などの特定の波長の光によって硬化する光硬化性接着材を用いた場合には、硬化のための光が遮光配線部を透過できず、そのため光硬化性接着材の硬化が部分的に不十分となるおそれがあった。そうなると、液晶パネル及びスイッチ液晶パネルの保持力が不十分となって例えば剥落などが生じるおそれがあった。また、上記のような剥落が生じずとも、光硬化性接着材に半硬化部分や未硬化部分が生じる可能性があり、そうなると液晶パネルとスイッチ液晶パネルとが部分的に剥離し、その剥離部の界面にて光が乱反射することで表示品位が低下するおそれがある。また、光硬化性接着材に半硬化部分や未硬化部分が生じると、光硬化性接着材の膜厚が不均一なものとなるため、やはり表示品位を低下させる可能性がある。また、液晶パネル及びスイッチ液晶パネルの外縁部において光硬化性接着材に未硬化部分が生じると、液体状の光硬化性接着材が外部の漏れ出すおそれがある。
【発明の概要】
【０００５】
本発明は上記のような事情に基づいて完成されたものであって、光硬化性接着材を十分に硬化させることを目的とする。
【０００６】
（課題を解決するための手段）
本発明の表示装置は、画像を表示可能な表示領域、及び前記表示領域を取り囲む非表示領域を有する表示パネルと、前記表示パネルに貼り合わせられるものであって、前記表示領域と平面に視て重畳する表示重畳領域、及び前記非表示領域と平面に視て重畳する非表示重畳領域を有する機能性パネルと、前記表示パネルと前記機能性パネルとの間に介在するとともに光の照射により硬化される光硬化性接着材と、前記機能性パネルにおける前記表示重畳領域に配されるとともに透光性導電材料からなる透光電極部と、前記機能性パネルにおける前記非表示重畳領域に配されるとともに遮光性金属材料からなる遮光配線部と、前記遮光配線部を部分的に切り欠くことで形成されるとともに前記光を透過する切欠透光部とを備える。
【０００７】
このようにすれば、表示パネルと機能性パネルとを光硬化性接着材を介して貼り合わせた状態で、光硬化性接着材に光を照射すると、光硬化性接着材が硬化することで、両パネルが接着される。ここで、機能性パネルのうち、表示パネルの表示領域と平面に視て重畳する表示重畳領域には、透光性導電材料からなる透光電極部が配されているのに対し、表示パネルの非表示領域と平面に視て重畳する非表示重畳領域には、遮光性金属材料からなる遮光配線部が配されている。従って、光硬化性接着材を硬化させるための光は、機能性パネルにおける表示重畳領域においては光硬化性接着材に対して十分な量が照射され得るものの、非表示重畳領域においては遮光配線部によって遮光されるために光硬化性接着材に対して照射される量が不足しがちとなる。
【０００８】
その点、本発明では、遮光配線部を部分的に切り欠いて光を透過する切欠透光部を形成するようにしているから、切欠透光部の面積分だけ、光硬化性接着材に照射される光量を増加させることができる。これにより、機能性パネルにおける非表示重畳領域においても光硬化性接着材を十分に硬化させることができ、もって貼り合わせた表示パネルと機能性パネルとを十分な保持力で保持することができるなどの効果を得ることができる。
【０００９】
本発明の実施態様として、次の構成が好ましい。
（１）前記遮光配線部には、前記透光電極部に対して接続されることで、前記透光電極部に電位を供給可能な電位供給配線部が含まれている。このようにすれば、遮光配線部に含まれる電位供給配線部は、遮光性金属材料からなるものであるから、透光電極部を構成する透光性導電材料に比べると、配線抵抗が低く且つその均一性も高いものとされる。従って、仮に電位供給配線部を透光性導電材料から構成した場合に比べると、電位供給配線部から透光電極部に対して電位を安定的に供給することができる。
【００１０】
（２）前記表示重畳領域に配された前記透光電極部と、前記非表示重畳領域に配された前記電位供給配線部との少なくともいずれか一方には、相手の領域側に向けて延出するとともに相手と接続される延出接続部が設けられている。このようにすれば、相手の領域側に向けて延出する延出接続部が相手と接続されることで、表示重畳領域に配された透光電極部と、非表示重畳領域に配された電位供給配線部とを接続することができる。
【００１１】
（３）前記延出接続部は、前記透光電極部に設けられるとともに前記非表示重畳領域側に向けて延出して前記電位供給配線部と接続されている。このようにすれば、仮に電位供給配線部側に延出接続部を設けた場合には機能性パネルのうち表示重畳領域に遮光物が存在することとなるのに比べると、表示領域に表示される画像の表示品位を高くすることができる。
【００１２】
（４）前記機能性パネルには、外部回路に接続されたフレキシブル基板が接続されており、前記電位供給配線部のうち、前記透光電極部に接続された側とは反対側の端部には、前記フレキシブル基板に接続される端子部が形成されている。このようにすれば、外部回路から供給される電位を、フレキシブル基板及び電位供給配線部を介して透光電極部に供給することができる。
【００１３】
（５）前記遮光配線部には、グランド接続されたグランド配線部が含まれており、前記グランド配線部は、前記表示重畳領域に加えて前記電位供給配線部を取り囲む略環状をなしている。このようにすれば、グランド接続されたグランド配線部によって表示重畳領域に加えて電位供給配線部を取り囲むことで、表示重畳領域に配された透光電極部及び透光電極部に電位を供給する電位供給配線部をシールド状態に保つことができる。これにより、透光電極部への電位供給をより安定的に行うことができる。
【００１４】
（６）前記遮光配線部は、前記機能性パネルにおける異なる面にそれぞれ形成され且つ少なくとも一部同士が平面に視て重畳する第１遮光配線部と、第２遮光配線部とからなるのに対し、前記切欠透光部は、前記第１遮光配線部に形成された第１切欠透光部と、前記第２遮光配線部に形成された第２切欠透光部とからなるものとされており、前記第１切欠透光部と前記第２切欠透光部とが平面に視て重畳するよう配されている。このようにすれば、第１遮光配線部と第２遮光配線部との少なくとも一部同士が重畳する位置関係とされているから、仮に第１遮光配線部と第２遮光配線部とが重畳しない位置関係とされた場合に比べると、重畳した分だけ遮光範囲が狭くなり、もって光硬化性接着材に照射可能な光量を増加させることができる。その上で、互いに平面に視て重畳する第１切欠透光部と第２切欠透光部とを通して光を効率的に光硬化性接着材に照射することができる。
【００１５】
（７）前記機能性パネルは、前記表示パネルに表示される画像を視差により分離することが可能な視差バリアパネルとされる。このようにすれば、視差バリアパネルによって表示パネルに表示される画像を視差により分離することで、当該表示装置の使用者に立体画像を視認させることができる。
【００１６】
（８）前記視差バリアパネルは、互いに対向状をなす一対の基板と、前記一対の基板間に封入される液晶とを有していて、前記一対の基板における前記液晶側の板面には、それぞれ前記透光電極部が互いに対向状をなすよう形成され、且つ対をなす前記透光電極部間の電圧値を制御することで、光を遮る複数のバリア部と、隣り合う前記バリア部間に配されるとともに光を透過するバリア開口部とが形成可能とされる。このようにすれば、バリア部及びバリア開口部を形成した状態では、隣り合うバリア部間に配されるバリア開口部を通して、表示パネルに表示される画像を観察することができる観察角度が特定のものとなり、もって画像を視差によって分離することができる。そして、対をなす透光電極部間の電圧値を制御することで、視差バリアパネルにおけるバリア部及びバリア開口部の形成の是非を選択することができ、もって立体画像の表示と、平面画像の表示との切り替えを行うことができる。
【００１７】
（９）前記透光電極部は、前記一対の基板のいずれか一方の基板のうち、前記液晶側とは反対側の板面にも形成されるとともに、当該表示装置の使用者が入力した位置を検出するタッチパネルパターンを構成している。このようにすれば、視差バリアパネルにタッチパネル機能を併有させることができる。
【００１８】
（１０）前記機能性パネルは、前記透光電極部が当該表示装置の使用者が入力した位置を検出するタッチパネルパターンを構成するタッチパネルとされる。このようにすれば、透光電極部によって構成されるタッチパネルパターンによって使用者が入力した位置を検出することができる。
【００１９】
（１１）前記切欠透光部は、前記遮光配線部の長さ方向及び幅方向についてそれぞれ複数ずつ並列して配されている。このようにすれば、遮光配線部が平面に視て略網目状をなすこととなるから、断線などの不具合が生じ難いものとなる。
【００２０】
（１２）複数の前記切欠透光部は、大きさ及び配列ピッチが等しいものとされる。このようにすれば、複数の切欠透光部を通して光硬化性接着材に対して一層ムラなく光を照射することができる。
【００２１】
（１３）前記切欠透光部は、前記遮光配線部の長さ方向に並行して延在する形態とされる。このようにすれば、遮光配線部が平面に視て略ストライプ状をなすこととなるから、仮に遮光配線部を平面に視て網目状に形成した場合に比べると、切欠透光部の面積をより大きくすることができ、光硬化性接着材に照射される光量をより多くすることができる。
【００２２】
（１４）前記表示パネルは、一対の基板間に液晶を封入してなる液晶パネルとされており、前記液晶パネルに対して光を照射可能な照明装置を備える。このようにすれば、照明装置から照射される光によって液晶パネルに画像を表示させることができる。また、このような表示装置は液晶表示装置として、種々の用途、例えば携帯型情報端末、携帯電話、ノートパソコン、携帯型ゲーム機などの各種電子機器に適用できる。
【００２３】
（発明の効果）
本発明によれば、光硬化性接着材を十分に硬化させることができる。
【図面の簡単な説明】
【００２４】
【図１】本発明の実施形態１に係る液晶表示装置の概略構成を示す断面図
【図２】液晶表示装置の平面図
【図３】液晶パネル、機能性パネル及びカバーパネルの断面図
【図４】パネル用フレキシブル基板を接続した液晶パネルの平面図
【図５】液晶パネルを構成するアレイ基板における画素電極及び各配線の配列を示す平面図
【図６】液晶パネルを構成するＣＦ基板における着色部の配列を示す平面図
【図７】各フレキシブル基板を接続した機能性パネルの平面図
【図８】機能性パネルを構成する第１基板の平面図
【図９】機能性パネルを構成する第２基板の底面図
【図１０】使用者の目と、視差バリアのバリア部及びバリア開口部と、液晶パネルの右目用画素及び左目用画素との関係を概略的に表す説明図
【図１１】各バリア用遮光配線部における端子部近傍を拡大して示す平面図
【図１２】各バリア用遮光配線部における各バリア用透光電極部との接続箇所近傍を拡大して示す平面図
【図１３】図１２のxiii-xiii線断面図
【図１４】機能性パネルを構成する第２基板の平面図
【図１５】タッチパネルパターンの平面構成を示す平面図
【図１６】図１５のxvi-xvi線断面図
【図１７】図１５のxvii-xvii線断面図
【図１８】各タッチパネル用遮光配線部における端子部近傍を拡大して示す平面図
【図１９】各タッチパネル用遮光配線部における各タッチパネル用透光電極部との接続箇所近傍を拡大して示す平面図
【図２０】図１９のxx-xx線断面図
【図２１】液晶パネルと機能性パネルとを貼り合わせる前の状態を示す断面図
【図２２】非表示重畳領域における各グランド配線部の断面構成を示す図８及び図１４のxxii-xxii線断面図
【図２３】機能性パネルにおける開口率の短辺方向についての変化を示すグラフ
【図２４】本発明の実施形態２に係る遮光配線部における切欠透光部の平面構成を示す平面図
【図２５】本発明の実施形態３に係る遮光配線部における切欠透光部の平面構成を示す平面図
【図２６】本発明の実施形態４に係る遮光配線部の一方の端部における切欠透光部の平面構成を示す平面図
【図２７】遮光配線部の他方の端部における切欠透光部の平面構成を示す平面図
【図２８】本発明の実施形態５に係る液晶パネル、機能性パネル及びカバーパネルの断面図
【図２９】本発明の他の実施形態（１）に係る遮光配線部における切欠透光部の平面構成を示す平面図
【図３０】本発明の他の実施形態（２）に係る遮光配線部における切欠透光部の平面構成を示す平面図
【図３１】本発明の他の実施形態（３）に係る遮光配線部における切欠透光部の平面構成を示す平面図
【発明を実施するための形態】
【００２５】
＜実施形態１＞
本発明の実施形態１を図１から図２３によって説明する。本実施形態では、液晶表示装置（表示装置）１０について例示する。なお、各図面の一部にはＸ軸、Ｙ軸及びＺ軸を示しており、各軸方向が各図面で示した方向となるように描かれている。また、上下方向については、図１を基準とし、且つ同図上側を表側とするとともに同図下側を裏側とする。
【００２６】
まず、液晶表示装置１０の構成について説明する。液晶表示装置１０は、図１及び図２に示すように、全体として平面に視て長方形状をなすとともにポートレイト（縦置き）またはランドスケープ（横置き）のいずれかの姿勢で使用されるものであり、画像を表示する液晶パネル（表示パネル）１１と、視差バリア機能及びタッチパネル機能（位置入力機能）を併有した機能性パネル１２と、液晶パネル１１及び機能性パネル１２に向けて光を照射する外部光源であるバックライト装置（照明装置）１３とを備えている。さらに液晶表示装置１０は、機能性パネル１２を保護するためのカバーパネル２０と、カバーパネル２０、液晶パネル１１及び機能性パネル１２を保持（挟持）するベゼル１４と、ベゼル１４が取り付けられるとともにバックライト装置１２を収容する筐体１５とを備えている。
【００２７】
このうち、液晶パネル１１及び機能性パネル１２は、図３に示すように、互いに主板面を対向状させつつ機能性パネル１２が相対的に表側（光出射側、使用者側）に、液晶パネル１１が相対的に裏側（バックライト装置１３側、光出射側とは反対側）にそれぞれ配されるとともに間に介在する光硬化性接着材ＧＬによって接着されることで一体化されている。ここで、光硬化性接着材ＧＬは、ほぼ透明となるような十分な透光性を有する光硬化性樹脂材料からなるものとされる。光硬化性接着材ＧＬをなす光硬化性樹脂材料は、液体状態で接着対象物である液晶パネル１１と機能性パネル１２との少なくともいずれか一方に塗布され、その後液晶パネル１１と機能性パネル１２とを貼り合わせつつ特定の波長領域の光が照射されることで硬化するとともに両者１１，１２を接着状態に保持できるものとされる。具体的には、光硬化性接着材ＧＬをなす光硬化性樹脂材料は、例えば紫外線（ＵＶ光）の照射によって硬化する性質を有しており、エポキシやビニルエーテルを主成分としたカチオン重合型とされる。また、機能性パネル１２のさらに表側には、ガラス製でほぼ透明なカバーパネル２０が接着材ＧＬ２によって接着されている。なお、本実施形態に係る液晶表示装置１０は、携帯型情報端末（電子ブックやＰＤＡなどを含む）、携帯電話（スマートフォンなどを含む）、ノートパソコン、デジタルフォトフレーム、携帯型ゲーム機などの各種電子機器（図示せず）に用いられるものである。このため、液晶表示装置１０を構成する液晶パネル１１の画面サイズは、例えば３．４インチなど、数インチ〜１０数インチ程度とされ、一般的には小型または中小型に分類される大きさとされている。
【００２８】
液晶パネル１１について説明する。液晶パネル１１は、図３及び図４に示すように、長方形状をなす一対の透明な（透光性を有する）ガラス製の基板１１ａ，１１ｂと、両基板１１ａ，１１ｂ間に介在し、電界印加に伴って光学特性が変化する物質である液晶分子を含む液晶層（図示せず）とを備え、両基板１１ａ，１１ｂが液晶層の厚さ分のギャップを維持した状態で図示しないシール剤によって貼り合わせられている。この液晶パネル１１は、図４に示すように、画像が表示される表示領域ＡＡ（図４において一点鎖線にて囲った範囲）と、表示領域ＡＡを取り囲む略枠状（額縁状）をなすとともに画像が表示されない非表示領域ＮＡＡとを有している。また、両基板１１ａ，１１ｂの外面側には、図３に示すように、それぞれ偏光板１１ｃ，１１ｄが貼り付けられている。表裏一対の偏光板１１ｃ，１１ｄのうち、表側（機能性パネル１２側）の偏光板１１ｄの表側を向いた外面、つまり機能性パネル１２との対向面には、既述した光硬化性接着材ＧＬがほぼ全域にわたって設けられている。この液晶パネル１１は、図２に示すように、ポートレイトで使用される際には、長辺方向（Ｙ軸方向）が使用者から視て縦方向（上下方向）と一致し、短辺方向（Ｘ軸方向）が使用者から視て横方向（左右方向、両目ＬＥ，ＲＥの並び方向）と一致しており、ランドスケープで使用される際には、長辺方向が使用者から視て横方向と一致し、短辺方向が使用者から視て縦方向と一致する。
【００２９】
両基板１１ａ，１１ｂのうち表側（正面側）がＣＦ基板１１ａとされ、裏側（背面側）がアレイ基板１１ｂとされる。アレイ基板１１ｂの内面（液晶層側の板面、ＣＦ基板１１ａとの対向面）における表示領域ＡＡには、図５に示すように、スイッチング素子であるＴＦＴ（Thin Film Transistor）１６及び画素電極１７がマトリクス状に多数個並列して設けられるとともに、これらＴＦＴ１６及び画素電極１７の周りには、格子状をなすゲート配線１８及びソース配線１９が取り囲むようにして配設されている。画素電極１７は、ＩＴＯ（Indium Tin Oxide：酸化インジウム錫）などのほぼ透明な透光性導電材料からなる。これに対し、ゲート配線１８及びソース配線１９は、共に銅やチタンなどの遮光性金属材料からなる。ゲート配線１８とソース配線１９とがそれぞれＴＦＴ１６のゲート電極とソース電極とに接続され、画素電極１７がＴＦＴ１６のドレイン電極に接続されている。また、アレイ基板１１ｂの内面における非表示領域ＮＡＡには、図４に示すように、ゲート配線１８及びソース配線１９が引き回されるとともにその端部に形成された端子部に対して液晶駆動用のドライバＤＲが接続されている。ドライバＤＲは、アレイ基板１１ｂにおける長辺方向の一端部においてＣＯＧ（Chip On Glass）実装されており、接続された両配線１８，１９に対して駆動信号を供給可能とされる。アレイ基板１１ｂの内面においてドライバＤＲに隣り合う位置（非表示領域ＮＡＡ）には、パネル用フレキシブル基板２１の一端側が異方性導電膜ＡＣＦを介して圧着接続されている。このパネル用フレキシブル基板２１は、その他端側が図示しないコントロール基板に接続されることで、コントロール基板から供給される画像信号をドライバＤＲに伝送することが可能とされている。
【００３０】
一方、ＣＦ基板１１ａにおける内面側（液晶層側、アレイ基板１１ｂとの対向面側）には、図６に示すように、アレイ基板１１ｂ側の各画素電極１７と平面に視て重畳する位置に多数個のカラーフィルタが並んで設けられている。カラーフィルタは、Ｒ（赤色），Ｇ（緑色），Ｂ（青色）を呈する各着色部２２がＸ軸方向に沿って交互に並ぶ配置とされる。着色部２２は、平面に視て長方形状をなすとともに、その長辺方向及び短辺方向が基板１１ａ，１１ｂにおける長辺方向及び短辺方向と一致しており、ＣＦ基板１１ａ上においてＸ軸方向及びＹ軸方向について多数個ずつマトリクス状に並列配置されている。カラーフィルタを構成する各着色部２２間には、混色を防ぐための格子状をなす遮光部（ブラックマトリクス）２３が形成されている。遮光部２３は、アレイ基板１１ｂ側のゲート配線１８及びソース配線１９に対して平面視重畳する配置とされる。当該液晶パネル１１においては、Ｒ，Ｇ，Ｂの３色の着色部２２及びそれに対応する３つの画素電極１７の組によって表示単位である１つの画素ＰＸが構成されており、この画素ＰＸは、両基板１１ａ，１１ｂの主板面、つまり表示面（Ｘ軸方向及びＹ軸方向）に沿って多数ずつマトリクス状に並列配置されている。各着色部２２及び遮光部２３の表面には、アレイ基板１１ｂ側の画素電極１７と対向する対向電極（図示せず）が設けられている。このＣＦ基板１１ａは、図４に示すように、アレイ基板１１ｂよりも長辺寸法が小さなものとされるとともに、アレイ基板１１ｂに対して長辺方向の両端部のうちパネル用フレキシブル基板２１側とは反対側の端部を揃えた状態で貼り合わせられている。また、ＣＦ基板１１ａに貼り合わせられる表側の偏光板１１ｄは、平面に視た大きさがＣＦ基板１１ａとほぼ同じとされる。また、両基板１１ａ，１１ｂの内面側には、液晶層に含まれる液晶分子を配向させるための配向膜（図示せず）がそれぞれ形成されている。
【００３１】
機能性パネル１２に先じてバックライト装置１３について簡単に説明する。バックライト装置１３は、いわゆるエッジライト型（サイドライト型）とされており、光源と、表側（液晶パネル１１側、光出射側）に開口するとともに光源を収容する略箱型のシャーシと、光源が端部に対向状に配されるとともに光源からの光を導光してシャーシの開口部（光出射部）に向けて出射させる導光部材と、シャーシの開口部を覆うようにして配される光学部材とを備える。光源から発せられた光は、導光部材の端部に入射してから導光部材内を伝播してシャーシの開口部へ向けて出射された後、光学部材によって面内の輝度分布が均一な面状の光に変換されてから、液晶パネル１１に照射されるようになっている。そして、液晶パネル１１が有するＴＦＴ１６の駆動によって液晶パネル１１に対する光の透過率が表示面の面内において選択的に制御されることで、表示面に所定の画像を表示させることができる。なお、光源、シャーシ、導光部材及び光学部材について詳しい図示を省略するものとする。
【００３２】
続いて、機能性パネル１２について詳しく説明する。機能性パネル１２は、液晶パネル１１の表示面に表示される画像を立体画像（３Ｄ画像、三次元画像）として使用者に観察させる「視差バリア機能」と、使用者が液晶パネル１１の表示面の面内における位置情報を入力する「タッチパネル機能（位置入力機能）」とを併せ持つ、いわば複合機能型のパネルとされている。従って、本実施形態に係る機能性パネル１２は、液晶パネル１１に表示される画像を視差により分離することが可能な「視差バリアパネル」であるとともに、使用者が入力した位置を検出することが可能な「タッチパネル（位置入力パネル）」である、と言える。
【００３３】
機能性パネル１２は、図３及び図７に示すように、平面に視て長方形状をなす一対の透明な（透光性を有する）ガラス製の基板１２ａ，１２ｂと、両基板１２ａ，１２ｂ間に介在し、電界印加に伴って光学特性が変化する物質である液晶分子を含む液晶層（図示せず）とを備え、両基板１２ａ，１２ｂが液晶層の厚さ分のギャップを維持した状態で図示しないシール剤によって貼り合わせられており、いわゆる液晶パネルとされる。この機能性パネル１２は、図７に示すように、液晶パネル１１の表示領域ＡＡと平面に視て重畳する表示重畳領域（図７において一点鎖線にて囲った範囲）ＯＡＡと、液晶パネル１１の非表示領域ＮＡＡと平面に視て重畳する非表示重畳領域ＯＮＡＡとを有しており、このうち非表示重畳領域ＯＮＡＡが表示重畳領域ＯＡＡを取り囲む略枠状（額縁状）をなしている。機能性パネル１２は、液晶パネル１１とほぼ同じ画面サイズを有するともに液晶パネル１１に並行する姿勢で光硬化性接着材ＧＬによって貼り合わせられており、ポートレイトで使用される際には、長辺方向（Ｙ軸方向）が使用者から視て縦方向（上下方向）と一致し、短辺方向（Ｘ軸方向）が使用者から視て横方向（左右方向、両目ＬＥ，ＲＥの並び方向）と一致しており、ランドスケープで使用される際には、長辺方向が使用者から視て横方向と一致し、短辺方向が使用者から視て縦方向と一致する。
【００３４】
機能性パネル１２を構成する一対の基板１２ａ，１２ｂは、図７に示すように、短辺寸法（Ｘ軸方向の大きさ）がほぼ同じとされるのに対し、長辺寸法（Ｙ軸方向の大きさ）については裏側（液晶パネル１１側）の第１基板１２ａが表側の第２基板１２ｂよりも大きく且つ液晶パネル１１のアレイ基板１１ｂとほぼ同じ程度とされる。また、表側の第２基板１２ｂは、その長辺寸法が液晶パネル１１のＣＦ基板１１ａよりも大きくなっている。第１基板１２ａの裏側を向いた外面（液晶層側とは反対側の板面）、つまり液晶パネル１１との対向面には、図３に示すように、既述した光硬化性接着材ＧＬが設けられている。第２基板１２ｂの表側を向いた外面（液晶層側とは反対側の板面）側には、偏光板１２ｃが貼り付けられている。
【００３５】
そして、この機能性パネル１２は、液晶層に印加する電圧に応じて液晶分子の配向状態並びに光透過率を制御することで、詳細は後述するバリア部ＢＡを形成することが可能とされ、それにより液晶パネル１１の画素ＰＸに表示された画像を視差により分離して使用者に立体画像として観察させることができるものとされる（図１０参照）。つまり、当該機能性パネル１２は、液晶層の光透過率をアクティブに制御することによって液晶パネル１１の表示面に平面画像（２Ｄ画像、二次元画像）と立体画像（３Ｄ画像、三次元画像）とを切り替えて表示させることが可能なスイッチ液晶パネルであると言える。以下、機能性パネル１２が有する「視差バリア機能」に係る構成について詳しく説明する。
【００３６】
機能性パネル１２を構成する一対の基板１２ａ，１２ｂにおける各内面（液晶層側の板面）には、図８及び図９に示すように、液晶層に電圧を印加可能なバリア用透光電極部２４が互いに対向状をなす形でそれぞれ形成されている。バリア用透光電極部２４は、液晶パネル１１の画素電極１７と同様にＩＴＯなどのほぼ透明な透光性導電材料からなるとともに、機能性パネル１２における表示重畳領域ＯＡＡに配されている。これにより、機能性パネル１２の表示重畳領域ＯＡＡでは、光透過率が高く保たれており、液晶パネル１１の表示領域ＡＡを透過した光をごく低損失でもって透過することが可能とされる。このバリア用透光電極部２４は、裏側の第１基板１２ａと表側の第２基板１２ｂとにそれぞれ一対ずつ設けられており、第１基板１２ａに設けられたものが第１バリア用透光電極部２４Ａ及び第２バリア用透光電極部２４Ｂとされるのに対し、第２基板１２ｂに設けられたものが第３バリア用透光電極部２４Ｃ及び第４バリア用透光電極部２４Ｄとされる。
【００３７】
第１バリア用透光電極部２４Ａ及び第２バリア用透光電極部２４Ｂは、図８に示すように、それぞれ櫛歯状をなすとともに平面に視て互いに噛み合うような形で配されている。詳しくは、第１バリア用透光電極部２４Ａ及び第２バリア用透光電極部２４Ｂは、それぞれ第１基板１２ａの長辺方向（Ｙ軸方向）に沿って延在するほぼ一定幅の帯状（ストライプ状）をなすとともに第１基板１２ａの短辺方向（Ｘ軸方向）について並列して配された複数本の帯状部２４Ａａ，２４Ｂａと、各帯状部２４Ａａ，２４Ｂａの端部同士を繋ぐとともに短辺方向（Ｘ軸方向）に沿って延在する繋ぎ部２４Ａｂ，２４Ｂｂとから構成されている。従って、第１基板１２ａの表示重畳領域ＯＡＡにおいては、第１バリア用透光電極部２４Ａの帯状部２４Ａａと、第２バリア用透光電極部２４Ｂの帯状部２４Ｂａとが短辺方向（Ｘ軸方向）に沿って交互に並んで配されていることになる。
【００３８】
これに対して、第３バリア用透光電極部２４Ｃ及び第４バリア用透光電極部２４Ｄは、図９に示すように、それぞれ櫛歯状をなすとともに平面に視て互いに噛み合うような形で配されている。詳しくは、第３バリア用透光電極部２４Ｃ及び第４バリア用透光電極部２４Ｄは、それぞれ第２基板１２ｂの短辺方向（Ｘ軸方向）に沿って延在するほぼ一定幅の帯状（ストライプ状）をなすとともに第２基板１２ｂの長辺方向（Ｙ軸方向）について並列して配された複数本の帯状部２４Ｃａ，２４Ｄａと、各帯状部２４Ｃａ，２４Ｄａの端部同士を繋ぐとともに長辺方向（Ｙ軸方向）に沿って延在する繋ぎ部２４Ｃｂ，２４Ｄｂとから構成されている。従って、第２基板１２ｂの表示重畳領域ＯＡＡにおいては、第３バリア用透光電極部２４Ｃの帯状部２４Ｃａと、第４バリア用透光電極部２４Ｄの帯状部２４Ｄａとが長辺方向（Ｙ軸方向）に沿って交互に並んで配されていることになる。そして、両基板１２ａ，１２ｂを貼り合わせた状態では、第１バリア用透光電極部２４Ａ及び第２バリア用透光電極部２４Ｂの各帯状部２４Ａｂ，２４Ｂｂと、第３バリア用透光電極部２４Ｃ及び第４バリア用透光電極部２４Ｄの各帯状部２４Ｃａ，２４Ｄａとは、互いにその長さ方向をほぼ直交させつつ液晶層を介して対向状に配されることになる。
【００３９】
本実施形態に係る機能性パネル１２としては、例えば、第１バリア用透光電極部２４Ａ及び第２バリア用透光電極部２４Ｂと、第３バリア用透光電極部２４Ｃ及び第４バリア用透光電極部２４Ｄとの間の電位差を０としたときに液晶層の光透過率が最大となって、全域にわたって最大限に光を透過することが可能な、いわゆるノーマリーホワイトモードのスイッチ液晶パネルを用いることができる。その上で、本実施形態に係る機能性パネル１２は、各電極部２４Ａ〜２４Ｄに所定の電位が供給されることでその駆動が制御されるとともに、ポートレイトでの使用時とランドスケープでの使用時との双方において使用者に立体画像を観察させることが可能とされている。
【００４０】
具体的には、液晶表示装置１０をポートレイトで使用する場合には、例えば、第２バリア用透光電極部２４Ｂ、第３バリア用透光電極部２４Ｃ及び第４バリア用透光電極部２４Ｄには基準電位を供給するのに対し、第１バリア用透光電極部２４Ａには基準電位とは異なる所定の電位を供給する。これにより、第２バリア用透光電極部２４Ｂと第３バリア用透光電極部２４Ｃ及び第４バリア用透光電極部２４Ｄとの間には電位差が生じることがないものの、第１バリア用透光電極部２４Ａと第３バリア用透光電極部２４Ｃ及び第４バリア用透光電極部２４Ｄとの間には電位差が生じる。このため、図１０に示すように、機能性パネル１２における液晶層のうち、第１バリア用透光電極部２４Ａと平面視重畳する領域の光透過率が例えば最小となってここに光を遮るバリア部ＢＡが形成されるのに対し、第２バリア用透光電極部２４Ｂと平面視重畳する領域の光透過率が最大となってここに光を透過するバリア開口部ＢＯが形成される。バリア部ＢＡ及びバリア開口部ＢＯは、共に第１バリア用透光電極部２４Ａ及び第２バリア用透光電極部２４Ｂの各帯状部２４Ａｂ，２４Ｂｂと同様にＹ軸方向に沿って延在するストライプ状をなすとともに、Ｘ軸方向に沿って交互に並列する形で複数ずつ配される。バリア部ＢＡ及びバリア開口部ＢＯの並び方向は、ポートレイトでの使用時における使用者の両目ＬＥ，ＲＥの並び方向（Ｘ軸方向）と一致しているから、この状態で液晶パネル１１においてＸ軸方向に並んだ各画素ＰＸに左目用画像と右目用画像とが交互に表示されるように駆動を制御すると、表示された右目用画像（右目用画素ＲＰＸ）及び左目用画像（左目用画素ＬＰＸ）は、それぞれバリア部ＢＡによって観察角度が規制されるとともに、バリア開口部ＢＯを通してそれぞれ使用者の右目ＲＥと左目ＬＥとに分離して観察されることになる。これにより、ポートレイトでの使用時において両眼視差効果が得られるとともに使用者に立体画像を観察させることができるものとされる。
【００４１】
その一方、液晶表示装置１０をランドスケープで使用する場合には、例えば、第１バリア用透光電極部２４Ａ、第２バリア用透光電極部２４Ｂ及び第４バリア用透光電極部２４Ｄには基準電位を供給するのに対し、第３バリア用透光電極部２４Ｃには基準電位とは異なる所定の電位を供給する。これにより、第１バリア用透光電極部２４Ａ及び第２バリア用透光電極部２４Ｂと第４バリア用透光電極部２４Ｄとの間には電位差が生じることがないものの、第１バリア用透光電極部２４Ａ及び第２バリア用透光電極部２４Ｂと第３バリア用透光電極部２４Ｃとの間には電位差が生じる。このため、図１０に示すように、機能性パネル１２における液晶層のうち、第３バリア用透光電極部２４Ｃと平面視重畳する領域の光透過率が例えば最小となってここに光を遮るバリア部ＢＡが形成されるのに対し、第４バリア用透光電極部２４Ｄと平面視重畳する領域の光透過率が最大となってここに光を透過するバリア開口部ＢＯが形成される。バリア部ＢＡ及びバリア開口部ＢＯは、共に第３バリア用透光電極部２４Ｃ及び第４バリア用透光電極部２４Ｄの各帯状部２４Ｃａ，２４Ｄａと同様にＸ軸方向に沿って延在するストライプ状をなすとともに、Ｙ軸方向に沿って交互に並列する形で複数ずつ配される。バリア部ＢＡ及びバリア開口部ＢＯの並び方向は、ランドスケープでの使用時における使用者の両目ＬＥ，ＲＥの並び方向（図１０では括弧書きしているＹ軸方向）と一致しているから、この状態で液晶パネル１１においてＹ軸方向に並んだ各画素ＰＸに左目用画像と右目用画像とが交互に表示されるように駆動を制御すると、表示された右目用画像（右目用画素ＲＰＸ）及び左目用画像（左目用画素ＬＰＸ）は、それぞれバリア部ＢＡによって観察角度が規制されるとともに、バリア開口部ＢＯを通してそれぞれ使用者の右目ＲＥと左目ＬＥとに分離して観察されることになる。これにより、ランドスケープでの使用時において両眼視差効果が得られるとともに使用者に立体画像を観察させることができるものとされる。
【００４２】
このようにポートレイトでの使用時と、ランドスケープでの使用時との双方において立体表示が可能な液晶表示装置１０には、図示しないジャイロセンサを内蔵させるとともにそのジャイロセンサによって液晶表示装置１０の姿勢（ポートレイトであるか、ランドスケープであるか）を検出するようにし、その検出信号に基づいて液晶パネル１１及び機能性パネル１２の駆動をポートレイトモードとランドスケープモードとで自動的に切り替えるようにするのがより好ましい。また、使用者に平面画像を観察させる場合には、例えば全ての電極部２４Ａ〜２４Ｄに基準電位を供給すれば、第１バリア用透光電極部２４Ａ及び第２バリア用透光電極部２４Ｂと第３バリア用透光電極部２４Ｃ及び第４バリア用透光電極部２４Ｄとの間に電位差が生じず、液晶層における全域において光透過率が最大となる。これにより、機能性パネル１２には、光を遮るバリア部ＢＡが形成されることがない。従って、液晶パネル１１の各画素ＰＸに表示される画像には視差が生じることがなく、もって使用者に平面画像（２Ｄ画像、二次元画像）を観察させることができる。なお、全ての電極部２４Ａ〜２４Ｄに電位を供給しないようにすることで、第１バリア用透光電極部２４Ａ及び第２バリア用透光電極部２４Ｂと第３バリア用透光電極部２４Ｃ及び第４バリア用透光電極部２４Ｄとの間に電位差を生じさせないようにしてもよい。
【００４３】
機能性パネル１２を構成する一対の基板１２ａ，１２ｂにおける内面（液晶層側の板面）には、図８及び図９に示すように、上記したバリア用透光電極部２４に加えてバリア用遮光配線部２５がそれぞれ形成されている。バリア用遮光配線部２５は、液晶パネル１１のゲート配線１８やソース配線１９と同様に銅やチタンなどの遮光性金属材料からなるとともに、機能性パネル１２における非表示重畳領域ＯＮＡＡに配されている。バリア用遮光配線部２５は、上記したバリア用透光電極部２４に電位を供給可能なバリア用電位供給配線部２６と、バリア用透光電極部２４及びバリア用電位供給配線部２６をシールド可能なバリア用グランド配線部２７とを備えている。バリア用電位供給配線部２６及びバリア用グランド配線部２７は、それぞれの端部が機能性パネル１２を構成する第１基板１２ａにおける長辺方向の一端部に配されるとともに、ここに圧着されるバリア用フレキシブル基板２８に接続されており、この接続部位が端子部２６ａ，２７ａとされる（図１１参照）。バリア用フレキシブル基板２８は、その一端側が異方性導電膜ＡＣＦを介してバリア用電位供給配線部２６及びバリア用グランド配線部２７の各端子部２６ａ，２７ａに接続されるのに対し、他端側が図示しないコントロール基板に接続されることで、コントロール基板から供給される電位をバリア用電位供給配線部２６及びバリア用グランド配線部２７に伝送することが可能とされる。なお、当該機能性パネル１２においては、図７に示すように、第２基板１２ｂが第１基板１２ａよりも長辺寸法が小さなものとされるとともに、第１基板１２ａに対して長辺方向の両端部のうちバリア用フレキシブル基板２８側とは反対側の端部を揃えた状態で貼り合わせられている。
【００４４】
バリア用電位供給配線部２６は、バリア用フレキシブル基板２８側とは反対側の端部がバリア用透光電極部２４の端部に対して接続されている。詳しくは、図１２及び図１３に示すように、表示重畳領域ＯＡＡに配されたバリア用透光電極部２４からは、非表示重畳領域ＯＮＡＡ側に向けて延出するとともに、非表示重畳領域ＯＮＡＡにおいてバリア用電位供給配線部２６に対して接続される延出接続部２４ｃが設けられている。従って、遮光性金属材料からなるバリア用電位供給配線部２６は、表示重畳領域ＯＡＡ内に配されることがないので、バリア用電位供給配線部２６によって表示重畳領域ＯＡＡにおける開口率（光透過率）が低下されることが回避されている。なお、図１２及び図１３では、第１バリア用透光電極部２４Ａと第１バリア用電位供給配線部２６Ａとの接続構造、及び第２バリア用透光電極部２４Ｂと第２バリア用電位供給配線部２６Ｂとの接続構造を図示しているが、第３バリア用透光電極部２４Ｃと第３バリア用電位供給配線部２６Ｃとの接続構造、及び第４バリア用透光電極部２４Ｄと第４バリア用電位供給配線部２６Ｄとの接続構造についても上記と同様である。
【００４５】
バリア用電位供給配線部２６は、バリア用透光電極部２４を構成する４つの各バリア用透光電極部２４Ａ〜２４Ｄに対応して４つ備えられており、具体的には第１バリア用透光電極部２４Ａに接続される第１バリア用電位供給配線部２６Ａと、第２バリア用透光電極部２４Ｂに接続される第２バリア用電位供給配線部２６Ｂと、第３バリア用透光電極部２４Ｃに接続される第３バリア用電位供給配線部２６Ｃと、第４バリア用透光電極部２４Ｄに接続される第４バリア用電位供給配線部２６Ｄとからなる。このうち、第１バリア用電位供給配線部２６Ａ及び第２バリア用電位供給配線部２６Ｂは、図８に示すように、第１基板１２ａの非表示重畳領域ＯＮＡＡにおいて、バリア用フレキシブル基板２８の接続箇所から、それぞれ第１バリア用透光電極部２４Ａ及び第２バリア用透光電極部２４Ｂの端部に向けて延出するよう配索形成されている。第３バリア用電位供給配線部２６Ｃ及び第４バリア用電位供給配線部２６Ｄは、図８及び図９に示すように、第１基板１２ａ側と第２基板１２ｂ側とに分割して設けられており、両基板１２ａ，１２ｂの貼り合わせに伴って金などの導電性に優れた導電性金属材料からなる導電ビーズ（図示せず）を介して端部同士が接続されている。具体的には、第３バリア用電位供給配線部２６Ｃ及び第４バリア用電位供給配線部２６Ｄは、図９に示すように、第２基板１２ｂの非表示重畳領域ＯＮＡＡにおいてそれぞれ第３バリア用透光電極部２４Ｃ及び第４バリア用透光電極部２４Ｄの端部に接続される第１部分と、図８に示すように、第１基板１２ａの非表示重畳領域ＯＮＡＡにおいて、バリア用フレキシブル基板２８の接続箇所から、それぞれ第２基板１２ｂ側の各第１部分の端部と平面に視て重畳する位置へ向けて延出する第２部分とから構成されており、第１部分と第２部分との重畳部位同士が導電ビーズによって接続されている。
【００４６】
一方、バリア用グランド配線部２７は、図８に示すように、第１基板１２ａの非表示重畳領域ＯＮＡＡにおいて、表示重畳領域ＯＡＡに加えてバリア用遮光配線部２５であるバリア用電位供給配線部２６をも取り囲む略環状に形成されている。そして、バリア用グランド配線部２７は、バリア用フレキシブル基板２８を介してグランド接続されることで、表示重畳領域ＯＡＡに配された全てのバリア用透光電極部２４とバリア用電位供給配線部２６とを一括してシールド（遮蔽）することが可能とされている。詳しくは、バリア用グランド配線部２７は、第１基板１２ａの非表示重畳領域ＯＮＡＡにおいて、表示重畳領域ＯＡＡに沿って並行することで平面に視て長方形の略枠状をなしており、途中で途切れることがない、無端環状をなしている。
【００４７】
以上説明したように、バリア用透光電極部２４に電位を供給するためのバリア用電位供給配線部２６と、シールドを図るためのバリア用グランド配線部２７とは、共に遮光性金属材料により構成されていることから、バリア用透光電極部２４をなすＩＴＯなどの透光性導電材料に比べると、配線抵抗が著しく低く且つその均一性も高いものとされている。従って、遮光性金属材料からなるバリア用電位供給配線部２６によってバリア用透光電極部２４に対して安定的に電位を供給することができるとともに、遮光性金属材料からなるバリア用グランド配線部２７によってバリア用透光電極部２４及びバリア用電位供給配線部２６を安定的にシールドすることができる。
【００４８】
続いて、機能性パネル１２が有する「タッチパネル機能（位置入力機能）」に係る構成について詳しく説明する。機能性パネル１２を構成する一対の基板１２ａ，１２ｂのうち、表側（使用者側）の第２基板１２ｂにおける表側を向いた外面（液晶層側とは反対側の板面、バリア用透光電極部２４の形成面とは反対側の板面）には、図１１に示すように、いわゆる投影型静電容量方式のタッチパネルパターンを構成するタッチパネル用透光電極部２９が形成されている。タッチパネル用透光電極部２９は、既述したバリア用透光電極部２４と同様にＩＴＯなどのほぼ透明な透光性導電材料からなるとともに、機能性パネル１２における表示重畳領域ＯＡＡに配されている。これにより、機能性パネル１２の表示重畳領域ＯＡＡでは、光透過率が高く保たれており、液晶パネル１１の表示領域ＡＡを透過した光をごく低損失でもって透過することが可能とされる。タッチパネル用透光電極部２９は、第２基板１２ｂの長辺方向（Ｙ軸方向）に沿って延在する複数列の第１タッチパネル用透光電極部２９Ａと、第２基板１２ｂの短辺方向（Ｘ軸方向）に沿って延在する複数列の第２タッチパネル用透光電極部２９Ｂとからなる。
【００４９】
第１タッチパネル用透光電極部２９Ａは、図１５に示すように、平面に視て菱形形状をなすとともにＹ軸方向に沿って並列配置された複数の第１電極パッド部２９Ａａと、隣り合う第１電極パッド部２９Ａａ同士を繋ぐ第１繋ぎ部２９Ａｂとから構成されている。Ｙ軸方向に沿って延在する形態の第１タッチパネル用透光電極部２９Ａは、Ｘ軸方向について複数が所定の間隔を空けつつ並列して配されている。これに対し、第２タッチパネル用透光電極部２９Ｂは、平面に視て菱形形状をなすとともにＸ軸方向に沿って並列配置された複数の第２電極パッド部２９Ｂａと、隣り合う第２電極パッド部２９Ｂａ同士を繋ぐ第２繋ぎ部２９Ｂｂとから構成されている。Ｘ軸方向に沿って延在する形態の第２タッチパネル用透光電極部２９Ｂは、Ｙ軸方向について複数が所定の間隔を空けつつ並列して配されている。従って、第２基板１２ｂには、第１タッチパネル用透光電極部２９Ａを構成する第１電極パッド部２９Ａａと、第２タッチパネル用透光電極部２９Ｂを構成する第２電極パッド部２９ＢａとがＸ軸方向及びＹ軸方向について複数ずつマトリクス状に並列して配されている。
【００５０】
第１タッチパネル用透光電極部２９Ａを構成する第１電極パッド部２９Ａａ及び第１繋ぎ部２９Ａｂと、第２タッチパネル用透光電極部２９Ｂを構成する第２電極パッド部２９Ｂａとは、図１６に示すように、第２基板１２ｂ上において同一のレイヤー（層）に配されている。これに対し、第２タッチパネル用透光電極部２９Ｂを構成する第２繋ぎ部２９Ｂｂは、図１７に示すように、第１繋ぎ部２９Ａｂに対して絶縁層３０を介して上層側に積層されている。これにより、第１タッチパネル用透光電極部２９Ａと第２タッチパネル用透光電極部２９Ｂとがその交差部において短絡することが回避されている。
【００５１】
上記した第１タッチパネル用透光電極部２９Ａ及び第２タッチパネル用透光電極部２９Ｂは、次述するタッチパネル用遮光配線部３１を介して図示しない検出回路に接続されている。そして、複数列の第１タッチパネル用透光電極部２９Ａ及び複数列の第２タッチパネル用透光電極部２９Ｂに順次に電圧を印加した状態で、機能性パネル１２の操作面に導電体である使用者の指が接触または接近すると、いずれかのタッチパネル用透光電極部２９Ａ，２９Ｂと使用者の指との間で容量が生じるため、そのタッチパネル用透光電極部２９Ａ，２９Ｂにおける静電容量値は、他のタッチパネル用透光電極部２９Ａ，２９Ｂにおける静電容量値とは異なるものとなる。この静電容量の差が生じたタッチパネル用透光電極部２９Ａ，２９Ｂを検出回路により検出することで、そのタッチパネル用透光電極部２９Ａ，２９Ｂの交点の座標が、使用者による操作位置の二次元（Ｘ軸方向及びＹ軸方向）の位置情報として入力されるようになっている。従って、この機能性パネル１２では、使用者が操作面の面内における複数箇所に同時に位置入力した場合の多点検出（マルチタッチ）が可能とされている。
【００５２】
第２基板１２ｂにおける表側を向いた外面には、図１４に示すように、上記したタッチパネル用透光電極部２９に加えてタッチパネル用遮光配線部３１が形成されている。タッチパネル用遮光配線部３１は、既述したバリア用遮光配線部２５と同様に銅やチタンなどの遮光性金属材料からなるとともに、機能性パネル１２における非表示重畳領域ＯＮＡＡに配されている。タッチパネル用遮光配線部３１は、上記したタッチパネル用透光電極部２９に電位を供給可能なタッチパネル用電位供給配線部３２と、タッチパネル用透光電極部２９及びタッチパネル用電位供給配線部３２をシールド可能なタッチパネル用グランド配線部３３とを備えている。これらタッチパネル用電位供給配線部３２及びタッチパネル用グランド配線部３３は、それぞれの端部が第２基板１２ｂにおける長辺方向の一端部に配されるとともに、ここに圧着されるタッチパネル用フレキシブル基板３４に接続されており、この接続部位が端子部３２ａ，３３ａとされる（図１８参照）。タッチパネル用フレキシブル基板３４は、その一端側が異方性導電膜ＡＣＦを介してタッチパネル用電位供給配線部３２及びタッチパネル用グランド配線部３３の各端子部３２ａ，３３ａに接続されるのに対し、他端側が図示しないコントロール基板に接続されることで、コントロール基板から供給される電位をタッチパネル用電位供給配線部３２及びタッチパネル用グランド配線部３３に伝送することが可能とされる。なお、コントロール基板には、上記した検出回路が備えられている。
【００５３】
タッチパネル用電位供給配線部３２は、タッチパネル用フレキシブル基板３４側とは反対側の端部がタッチパネル用透光電極部２９の端部に対して接続されている。詳しくは、図１９及び図２０に示すように、表示重畳領域ＯＡＡに配されたタッチパネル用透光電極部２９からは、非表示重畳領域ＯＮＡＡ側に向けて延出するとともに、非表示重畳領域ＯＮＡＡにおいてタッチパネル用電位供給配線部３２に対して接続される延出接続部２９ｃが設けられている。従って、遮光性金属材料からなるタッチパネル用電位供給配線部３２は、表示重畳領域ＯＡＡ内に配されることがないので、タッチパネル用電位供給配線部３２によって表示重畳領域ＯＡＡにおける開口率（光透過率）が低下されることが回避されている。なお、図１９及び図２０では、第２タッチパネル用透光電極部２９Ｂと第２タッチパネル用電位供給配線部３２Ｂとの接続構造を図示しているが、第１タッチパネル用透光電極部２９Ａと第１タッチパネル用電位供給配線部３２Ａとの接続構造についても上記と同様である。
【００５４】
タッチパネル用電位供給配線部３２は、図１４に示すように、タッチパネル用透光電極部２９を構成する２つの各タッチパネル用透光電極部２９Ａ，２９Ｂに対応して２種類備えられており、具体的には各第１タッチパネル用透光電極部２９Ａにそれぞれ接続される複数の第１タッチパネル用電位供給配線部３２Ａと、各第２タッチパネル用透光電極部２９Ｂにそれぞれ接続される複数の第２タッチパネル用電位供給配線部３２Ｂとからなる。このうち、第１タッチパネル用電位供給配線部３２Ａは、第２基板１２ｂの非表示重畳領域ＯＮＡＡにおいて、タッチパネル用フレキシブル基板３４の接続箇所から、各第１タッチパネル用透光電極部２９Ａのうちタッチパネル用フレキシブル基板３４側の端部に向けて延出するよう配索形成されている。第１タッチパネル用電位供給配線部３２Ａは、額縁状をなす非表示重畳領域ＯＮＡＡにおける一対の短辺部分のうち、タッチパネル用フレキシブル基板３４側の短辺部分に配されるとともに、タッチパネル用フレキシブル基板３４にける幅方向の中央部に接続される。
【００５５】
一方、第２タッチパネル用電位供給配線部３２Ｂは、第２基板１２ｂの非表示重畳領域ＯＮＡＡにおいて、タッチパネル用フレキシブル基板３４の接続箇所から、各第２タッチパネル用透光電極部２９Ｂの端部に向けて延出するよう配索形成されている。第２タッチパネル用電位供給配線部３２Ｂは、額縁状をなす非表示重畳領域ＯＮＡＡのうち、タッチパネル用フレキシブル基板３４側の短辺部分と一方の長辺部分とにわたって配されるものと、タッチパネル用フレキシブル基板３４側の短辺部分と他方の長辺部分とにわたって配されるものとが存在する。詳しくは、非表示重畳領域ＯＮＡＡのうち図１４に示す左側の長辺部分に配された各第２タッチパネル用電位供給配線部３２Ｂは、第２基板１２ｂの長辺方向（Ｙ軸方向）に沿って並列する複数の第２タッチパネル用透光電極部２９Ｂのうちの図１４に示す上側の約半分のものに対してそれぞれ接続されている。同様に、非表示重畳領域ＯＮＡＡのうち図１４に示す右側の長辺部分に配された各第２タッチパネル用電位供給配線部３２Ｂは、図１４に示す下側の約半分の第２タッチパネル用透光電極部２９Ｂに対してそれぞれ接続されている。
【００５６】
一方、タッチパネル用グランド配線部３３は、図１４に示すように、第２基板１２ｂの非表示重畳領域ＯＮＡＡにおいて、表示重畳領域ＯＡＡに加えてタッチパネル用遮光配線部３１であるタッチパネル用電位供給配線部３２をも取り囲む略環状に形成されている。そして、タッチパネル用グランド配線部３３は、タッチパネル用フレキシブル基板３４を介してグランド接続されることで、表示重畳領域ＯＡＡに配された全てのタッチパネル用透光電極部２９とタッチパネル用電位供給配線部３２とを一括してシールド（遮蔽）することが可能とされている。詳しくは、タッチパネル用グランド配線部３３は、第２基板１２ｂの非表示重畳領域ＯＮＡＡにおいて、表示重畳領域ＯＡＡに沿って並行することで平面に視て長方形の略枠状をなしており、タッチパネル用フレキシブル基板３４側とは反対側の中央部が所定長さのみ切り欠かれている。
【００５７】
以上説明したように、タッチパネル用透光電極部２９に電位を供給するためのタッチパネル用電位供給配線部３２と、シールドを図るためのタッチパネル用グランド配線部３３とは、共に遮光性金属材料により構成されていることから、タッチパネル用透光電極部２９をなすＩＴＯなどの透光性導電材料に比べると、配線抵抗が著しく低く且つその均一性も高いものとされている。従って、遮光性金属材料からなるタッチパネル用電位供給配線部３２によってタッチパネル用透光電極部２９に対して安定的に電位を供給することができるとともに、遮光性金属材料からなるタッチパネル用グランド配線部３３によってタッチパネル用透光電極部２９及びタッチパネル用電位供給配線部３２を安定的にシールドすることができる。
【００５８】
ところで、上記した構成の液晶パネル１１と機能性パネル１２とを貼り合わせるのに用いられる光硬化性接着材ＧＬは、図３及び図４に示すように、平面に視た形成範囲が液晶パネル１１におけるＣＦ基板１１ａ及び表側の偏光板１１ｄとほぼ同じ大きさとされており、表示領域ＡＡ及び表示重畳領域ＯＡＡの全域と、非表示領域ＮＡＡ及び非表示重畳領域ＯＮＡＡの大部分（具体的には各フレキシブル基板２１，２８，３４が接続された側の端部を除いた部分）とにわたる広さを有している。そして、貼り合わせ作業に際して光硬化性接着材ＧＬを硬化させるには、機能性パネル１２に対して表側から紫外線を照射するのであるが、このとき表示重畳領域ＯＡＡにおいては、透光性導電材料からなる各透光電極部２４，２９が存していることから、開口率が十分に高く、十分な量の光を光硬化性接着材ＧＬに照射させることができる。一方、非表示重畳領域ＯＮＡＡにおいては、遮光性金属材料からなる各遮光配線部２５，３１が存していることから、各遮光配線部２５，３１によって遮光される分だけ表示重畳領域ＯＡＡよりも開口率が低く、そのため光硬化性接着材ＧＬに照射させることができる光量が不足しがちとなっている。
【００５９】
そこで、本実施形態に係る各遮光配線部２５，３１には、図１１，図１２，図１８及び図１９に示すように、光を透過する切欠透光部３５，３６がそれぞれ部分的に切り欠いて形成されている。切欠透光部３５，３６は、平面に視て縦長の長方形状をなすとともにその長辺寸法及び短辺寸法が、いずれも各遮光配線部２５，３１の線幅よりも小さなものとされる。切欠透光部３５，３６は、各遮光配線部２５，３１においてその長さ方向及び幅方向について複数ずつ並列して配されている。従って、各遮光配線部２５，３１は、平面に視て網目状をなしている。並列配置された複数の切欠透光部３５，３６は、その平面に視た大きさが全てほぼ等しくされるとともに、配列ピッチがほぼ一定とされで等間隔に配されている。従って、各遮光配線部２５，３１における網目部分の線幅は、全域にわたってほぼ一定となっており、それにより各遮光配線部２５，３１に断線などが生じ難いものとされる。この切欠透光部３５，３６は、各遮光配線部２５，３１のうち、各端子部２６ａ，２７ａ，３２ａ，３３ａ（図１１及び図１８参照）、及び各透光電極部２４，２９との接続部位（図１２及び図１９参照）を含んで全長・全域にわたって配されている。これにより、各遮光配線部２５，３１における配線抵抗が全長・全域にわたって均一なものとなることから、安定的な電位供給を図る上で好適である。なお、図１８〜図２０では、タッチパネル用遮光配線部３１のうち、第２タッチパネル用電位供給配線部３２Ｂ及びタッチパネル用グランド配線部３３に形成した切欠透光部３６を図示しているが、第１タッチパネル用電位供給配線部３２Ａにも上記と同様の構造の切欠透光部３６が設けられている。
【００６０】
ここで、各遮光配線部２５，３１のうち、バリア用グランド配線部２７及びタッチパネル用グランド配線部３３は、図８及び図１４に示すように、互いに線幅がほぼ等しいものとされるとともに、互いに全長にわたって平面に視て重畳する位置関係を有している。そして、バリア用グランド配線部２７及びタッチパネル用グランド配線部３３にそれぞれ形成された各切欠透光部３５，３６は、図２２に示すように、互いに平面に視て重畳する位置関係を有している。つまり、バリア用グランド配線部（第１遮光配線部）２７に形成された複数の切欠透光部（第１切欠透光部）３５と、タッチパネル用グランド配線部（第２遮光配線部）３３に形成された複数の切欠透光部（第２切欠透光部）３６とにおける平面配置が、互いに整合する設計とされている。言い換えると、一方のグランド配線部２７，３３側の切欠透光部３５，３６に対して、他方のグランド配線部２７，３３が影にならないよう、他方のグランド配線部２７，３３に切欠透光部３５，３６が配置されている。これにより、表側に配されるタッチパネル用グランド配線部３３の各切欠透光部３６に表側から照射された光は、裏側に配されるバリア用グランド配線部２７の各切欠透光部３５を透過して、光硬化性接着材ＧＬへと照射されるようになっている。
【００６１】
本実施形態は以上のような構造であり、続いてその作用を説明する。上記した構成の液晶表示装置１０の製造に際しては、それぞれ別途に製造された液晶パネル１１及び機能性パネル１２に対して各フレキシブル基板２１，２８，３４を接続した後、液晶パネル１１と機能性パネル１２とを光硬化性接着材ＧＬを介して接着するようにしている。
【００６２】
詳しくは、パネル用フレキシブル基板２１を接続した液晶パネル１１の表側の偏光板１１ｄの外面に光硬化性接着材ＧＬを塗布してから、図２１に示すように、バリア用フレキシブル基板２８及びタッチパネル用フレキシブル基板３４を接続した機能性パネル１２を液晶パネル１１に対して相対的に表側に対向状に配する。なお、このとき機能性パネル１２については、偏光板１２ｃを貼り合わせる前の状態とされている。その理由は、仮に偏光板１２ｃを貼り合わせた状態で次述する紫外線の照射を行うと、照射した紫外線が偏光板１２ｃによって吸収されてしまうためである。この状態から液晶パネル１１と機能性パネル１２とを貼り合わせるとともに、機能性パネル１２に対して表側から紫外線を照射する。なお、図１３，図２０〜図２２において矢線は紫外線の照射方向及び照射範囲を表している。機能性パネル１２に照射された紫外線は、機能性パネル１２における透光性の構造物を透過して光硬化性接着材ＧＬに照射されることで、光硬化性接着材ＧＬを硬化させる。ここで、機能性パネル１２のうち表示重畳領域ＯＡＡには、透光性導電材料からなる各透光電極部２４，２９が配されていることから開口率が十分に高いものの、非表示重畳領域ＯＮＡＡには、遮光性金属材料からなる各遮光配線部２５，３１が配されているため、図２３に示すように、開口率が相対的に低くなっている。その点、本実施形態に係る各遮光配線部２５，３１には、切欠透光部３５，３６が部分的に切欠形成されているので、切欠透光部３５，３６の面積の分だけ非表示重畳領域ＯＮＡＡにおける開口率が高められている。なお、図２３では切欠透光部３５，３６を形成しなかった場合のグラフを二点鎖線にて示している。
【００６３】
従って、機能性パネル１２における非表示重畳領域ＯＮＡＡの透過光量を増加させることができ、光硬化性接着材ＧＬのうち非表示重畳領域ＯＮＡＡと平面に視て重畳する領域を十分に硬化させることができる。言い換えると、切欠透光部３５，３６によって機能性パネル１２における表示重畳領域ＯＡＡの透過光量と、非表示重畳領域ＯＮＡＡの透過光量との差が小さくなるから、透過光によって硬化される光硬化性接着材ＧＬの硬化の程度に領域毎のバラツキが生じ難くなる。しかも、切欠透光部３５，３６は、多数個が各遮光配線部２５，３１において長さ方向及び幅方向について等間隔に並列して配されていることから、非表示重畳領域ＯＮＡＡを透過した紫外線を、光硬化性接着材ＧＬに対して一層ムラなく照射することができる。さらには、平面に視て互いに重畳する位置関係の各グランド配線部２７，３３に形成された各切欠透光部３５，３６は、図２２に示すように、互いに平面に視て重畳するとともに互いに整合する位置関係とされているから、表側のタッチパネル用グランド配線部３３の切欠透光部３６を透過した紫外線は、そのまま裏側のバリア用グランド配線部２７の切欠透光部３５を透過されることで、光硬化性接着材ＧＬに対して無駄なく照射される。これにより、紫外線をより効率的に光硬化性接着材ＧＬに照射することができる。
【００６４】
以上により、光硬化性接着材ＧＬを全域にわたって十分に硬化させることができるので、液晶パネル１１と機能性パネル１２とを十分に高い保持力でもって接着状態に保持することができ、両パネル１１，１２が剥落されるなどといった事態を生じ難くすることができる。また、上記のような剥落が生じずとも、非表示重畳領域ＯＮＡＡにおいて光硬化性接着材ＧＬに半硬化部分や未硬化部分が生じることが防がれるので、それにより液晶パネル１１と機能性パネル１２とが部分的に剥離するのを回避することができる。仮に液晶パネル１１と機能性パネル１２との間に部分的な剥離部が生じると、剥離部の界面にて光が乱反射してその光が液晶パネル１１の表示領域ＡＡから漏れる可能性があるものの、上記のように液晶パネル１１と機能性パネル１２との部分的な剥離を防止することで、表示品位を高く保つことができる。また、光硬化性接着材ＧＬに半硬化部分や未硬化部分が生じることが防がれれば、光硬化性接着材ＧＬの膜厚を均一に保つことができるので、それによっても表示品位を高く保つことができる。また、非表示重畳領域ＯＮＡＡの外縁部において光硬化性接着材ＧＬに未硬化部分が生じると、液体状の光硬化性接着材ＧＬが外部の漏れ出すおそれがあるが、本実施形態によればそのような事態をも未然に回避することができる。なお、上記のようにして両パネル１１，１２の貼り合わせを行った後、機能性パネル１２ｂに偏光板１２ｃを貼り付け、続いて機能性パネル１２の表側に保護用のカバーパネル２０を貼り付けるようにし、その後一体化されたパネルユニット１１，１２，２０を、バックライト装置１３を収容した筐体１５に対してベゼル１４を介して取り付けるようにする。また、上記した製造手順は適宜に変更であり、例えば液晶パネル１１と機能性パネル１２との貼り合わせに際して、機能性パネル１２側に光硬化性接着材ＧＬを塗布したり、両パネル１１，１２のそれぞれに光硬化性接着材ＧＬを塗布しても構わない。
【００６５】
以上説明したように本実施形態の液晶表示装置（表示装置）１０は、画像を表示可能な表示領域ＡＡ、及び表示領域ＡＡを取り囲む非表示領域ＮＡＡを有する液晶パネル（表示パネル）１１と、液晶パネル１１に貼り合わせられるものであって、表示領域ＡＡと平面に視て重畳する表示重畳領域ＯＡＡ、及び非表示領域ＮＡＡと平面に視て重畳する非表示重畳領域ＮＯＡＡを有する機能性パネル１２と、液晶パネル１１と機能性パネル１２との間に介在するとともに光の照射により硬化される光硬化性接着材ＧＬと、機能性パネル１２における表示重畳領域ＯＡＡに配されるとともに透光性導電材料からなる透光電極部２４，２９と、機能性パネル１２における非表示重畳領域ＮＯＡＡに配されるとともに遮光性金属材料からなる遮光配線部２５，３１と、遮光配線部２５，３１を部分的に切り欠くことで形成されるとともに光を透過する切欠透光部３５，３６とを備える。
【００６６】
このようにすれば、液晶パネル１１と機能性パネル１２とを光硬化性接着材ＧＬを介して貼り合わせた状態で、光硬化性接着材ＧＬに光を照射すると、光硬化性接着材ＧＬが硬化することで、両パネル１１，１２が接着される。ここで、機能性パネル１２のうち、液晶パネル１１の表示領域ＡＡと平面に視て重畳する表示重畳領域ＯＡＡには、透光性導電材料からなる透光電極部２４，２９が配されているのに対し、液晶パネル１１の非表示領域ＮＡＡと平面に視て重畳する非表示重畳領域ＮＯＡＡには、遮光性金属材料からなる遮光配線部２５，３１が配されている。従って、光硬化性接着材ＧＬを硬化させるための光は、機能性パネル１２における表示重畳領域ＯＡＡにおいては光硬化性接着材ＧＬに対して十分な量が照射され得るものの、非表示重畳領域ＮＯＡＡにおいては遮光配線部２５，３１によって遮光されるために光硬化性接着材ＧＬに対して照射される量が不足しがちとなる。
【００６７】
その点、本実施形態では、遮光配線部２５，３１を部分的に切り欠いて光を透過する切欠透光部３５，３６を形成するようにしているから、切欠透光部３５，３６の面積分だけ、光硬化性接着材ＧＬに照射される光量を増加させることができる。これにより、機能性パネル１２における非表示重畳領域ＮＯＡＡにおいても光硬化性接着材ＧＬを十分に硬化させることができ、もって貼り合わせた液晶パネル１１と機能性パネル１２とを十分な保持力で保持することができる、などの効果を得ることができる。
【００６８】
また、遮光配線部２５，３１には、透光電極部２４，２９に対して接続されることで、透光電極部２４，２９に電位を供給可能な電位供給配線部２６，３２が含まれている。このようにすれば、遮光配線部２５，３１に含まれる電位供給配線部２６，３２は、遮光性金属材料からなるものであるから、透光電極部２４，２９を構成する透光性導電材料に比べると、配線抵抗が低く且つその均一性も高いものとされる。従って、仮に電位供給配線部を透光性導電材料から構成した場合に比べると、電位供給配線部２６，３２から透光電極部２４，２９に対して電位を安定的に供給することができる。
【００６９】
また、表示重畳領域ＯＡＡに配された透光電極部２４，２９と、非表示重畳領域ＮＯＡＡに配された電位供給配線部２６，３２との少なくともいずれか一方には、相手の領域ＯＡＡ，ＯＮＡＡ側に向けて延出するとともに相手と接続される延出接続部２４ｃ，２９ｃが設けられている。このようにすれば、相手の領域ＯＡＡ，ＯＮＡＡ側に向けて延出する延出接続部２４ｃ，２９ｃが相手と接続されることで、表示重畳領域ＯＡＡに配された透光電極部２４，２９と、非表示重畳領域ＮＯＡＡに配された電位供給配線部２６，３２とを接続することができる。
【００７０】
また、延出接続部２４ｃ，２９ｃは、透光電極部２４，２９に設けられるとともに非表示重畳領域ＮＯＡＡ側に向けて延出して電位供給配線部２６，３２と接続されている。このようにすれば、仮に電位供給配線部側に延出接続部を設けた場合には機能性パネル１２のうち表示重畳領域ＯＡＡに遮光物が存在することとなるのに比べると、表示領域ＡＡに表示される画像の表示品位を高くすることができる。
【００７１】
また、機能性パネル１２には、外部回路に接続されたフレキシブル基板２８，３４が接続されており、電位供給配線部２６，３２のうち、透光電極部２４，２９に接続された側とは反対側の端部には、フレキシブル基板２８，３４に接続される端子部２６ａ，２７ａ，３２ａ，３３ａが形成されている。このようにすれば、外部回路から供給される電位を、フレキシブル基板２８，３４及び電位供給配線部２６，３２を介して透光電極部２４，２９に供給することができる。
【００７２】
また、遮光配線部２５，３１には、グランド接続されたグランド配線部２７，３３が含まれており、グランド配線部２７，３３は、表示重畳領域ＯＡＡに加えて電位供給配線部２６，３２を取り囲む略環状をなしている。このようにすれば、グランド接続されたグランド配線部２７，３３によって表示重畳領域ＯＡＡに加えて電位供給配線部２６，３２を取り囲むことで、表示重畳領域ＯＡＡに配された透光電極部２４，２９及び透光電極部２４，２９に電位を供給する電位供給配線部２６，３２をシールド状態に保つことができる。これにより、透光電極部２４，２９への電位供給をより安定的に行うことができる。
【００７３】
また、遮光配線部２５，３１は、機能性パネル１２における異なる面にそれぞれ形成され且つ少なくとも一部同士が平面に視て重畳するバリア用グランド配線部（第１遮光配線部）２７と、タッチパネル用グランド配線部（第２遮光配線部）３３とからなるのに対し、切欠透光部３５，３６は、バリア用グランド配線部２７に形成された切欠透光部（第１切欠透光部）３５と、タッチパネル用グランド配線部３３に形成された切欠透光部（第２切欠透光部）３６とからなるものとされており、切欠透光部３５と切欠透光部３６とが平面に視て重畳するよう配されている。このようにすれば、バリア用グランド配線部２７とタッチパネル用グランド配線部３３との少なくとも一部同士が重畳する位置関係とされているから、仮にバリア用グランド配線部とタッチパネル用グランド配線部とが重畳しない位置関係とされた場合に比べると、重畳した分だけ遮光範囲が狭くなり、もって光硬化性接着材ＧＬに照射可能な光量を増加させることができる。その上で、互いに平面に視て重畳する切欠透光部３５と切欠透光部３６とを通して光を効率的に光硬化性接着材ＧＬに照射することができる。
【００７４】
また、機能性パネル１２は、液晶パネル１１に表示される画像を視差により分離することが可能な視差バリアパネルとされる。このようにすれば、視差バリアパネルによって液晶パネル１１に表示される画像を視差により分離することで、当該表示装置の使用者に立体画像を視認させることができる。
【００７５】
また、視差バリアパネルは、互いに対向状をなす一対の基板１２ａ，１２ｂと、一対の基板１２ａ，１２ｂ間に封入される液晶とを有していて、一対の基板１２ａ，１２ｂにおける液晶側の板面には、それぞれ透光電極部２４Ａ〜２４Ｄが互いに対向状をなすよう形成され、且つ対をなす透光電極部２４Ａ〜２４Ｄ間の電圧値を制御することで、光を遮る複数のバリア部ＢＡと、隣り合うバリア部ＢＡ間に配されるとともに光を透過するバリア開口部ＢＯとが形成可能とされる。このようにすれば、バリア部ＢＡ及びバリア開口部ＢＯを形成した状態では、隣り合うバリア部ＢＡ間に配されるバリア開口部ＢＯを通して、液晶パネル１１に表示される画像を観察することができる観察角度が特定のものとなり、もって画像を視差によって分離することができる。そして、対をなす透光電極部２４Ａ〜２４Ｄ間の電圧値を制御することで、視差バリアパネルにおけるバリア部ＢＡ及びバリア開口部ＢＯの形成の是非を選択することができ、もって立体画像の表示と、平面画像の表示との切り替えを行うことができる。
【００７６】
また、透光電極部２９は、一対の基板１２ａ，１２ｂのいずれか一方の基板１２ａ，１２ｂのうち、液晶側とは反対側の板面にも形成されるとともに、当該液晶表示装置１０の使用者が入力した位置を検出するタッチパネルパターンを構成している。このようにすれば、視差バリアパネルにタッチパネル機能を併有させることができる。
【００７７】
また、機能性パネル１２は、透光電極部２９が当該液晶表示装置１０の使用者が入力した位置を検出するタッチパネルパターンを構成するタッチパネルとされる。このようにすれば、透光電極部２９によって構成されるタッチパネルパターンによって使用者が入力した位置を検出することができる。
【００７８】
また、切欠透光部３５，３６は、遮光配線部２５，３１の長さ方向及び幅方向についてそれぞれ複数ずつ並列して配されている。このようにすれば、遮光配線部２５，３１が平面に視て略網目状をなすこととなるから、断線などの不具合が生じ難いものとなる。
【００７９】
また、複数の切欠透光部３５，３６は、大きさ及び配列ピッチが等しいものとされる。このようにすれば、複数の切欠透光部３５，３６を通して光硬化性接着材ＧＬに対して一層ムラなく光を照射することができる。
【００８０】
また、表示パネルは、一対の基板１１ａ，１１ｂ間に液晶を封入してなる液晶パネル１１とされており、液晶パネル１１に対して光を照射可能なバックライト装置（照明装置）１３を備える。このようにすれば、バックライト装置１３から照射される光によって液晶パネル１１に画像を表示させることができる。また、このような液晶表示装置１０は、種々の用途、例えば携帯型情報端末、携帯電話、ノートパソコン、携帯型ゲーム機などの各種電子機器に適用できる。
【００８１】
＜実施形態２＞
本発明の実施形態２を図２４によって説明する。この実施形態２では、切欠透光部１３５，１３６の形状を変更したものを示す。なお、上記した実施形態１と同様の構造、作用及び効果について重複する説明は省略する。
【００８２】
本実施形態に係る各遮光配線部１２５，１３１には、図２４に示すように、平面に視て丸形（円形）をなす切欠透光部１３５，１３６が形成されている。切欠透光部１３５，１３６は、各遮光配線部１２５，１３１の長さ方向及び幅方向に沿って複数ずつ、ほぼ等間隔に並列して配されている。
【００８３】
＜実施形態３＞
本発明の実施形態３を図２５によって説明する。この実施形態３では、切欠透光部２３５，２３６の形状を変更したものを示す。なお、上記した実施形態１と同様の構造、作用及び効果について重複する説明は省略する。
【００８４】
本実施形態に係る各遮光配線部２２５，２３１には、図２５に示すように、平面に視て縦長の三角形をなす切欠透光部２３５，２３６が形成されている。切欠透光部２３５，２３６は、底辺同士を背中合わせにしたものが対をなしており、この対をなす切欠透光部２３５，２３６が各遮光配線部２２５，２３１の幅方向に複数組ずつ等間隔に並列するとともに、各遮光配線部２２５，２３１の長さ方向に並ぶもの同士が幅方向に位置ずれして配されることで、長さ方向についてオーバーラップし合う関係とされる。
【００８５】
＜実施形態４＞
本発明の実施形態４を図２６または図２７によって説明する。この実施形態４では、切欠透光部３３５，３３６の形状を変更したものを示す。なお、上記した実施形態１と同様の構造、作用及び効果について重複する説明は省略する。
【００８６】
本実施形態に係る各遮光配線部３２５，３３１には、図２６及び図２７に示すように、各遮光配線部３２５，３３１の長さ方向に沿って延在する形態の切欠透光部３３５，３３６が形成されている。切欠透光部３３５，３３６は、各遮光配線部３２５，３３１の配索経路に並行するとともにその長さ方向の両端部を除いて概ね全長にわたる長さを有するスリット状をなしている。切欠透光部３３５，３３６は、各遮光配線部３２５，３３１において幅方向について複数がほぼ等間隔に並列して配されている。従って、各遮光配線部３２５，３３１は、平面に視てストライプ状をなしている。切欠透光部３３５，３３６は、各遮光配線部３２５，３３１の両端部（各透光電極部２４，２９との接続部位、各フレキシブル基板２８，３４との接続部位）には形成されていないことから、各遮光配線部３２５，３３１のストライプ状部同士が相互に接続された状態に保たれている。
【００８７】
以上説明したように本実施形態によれば、切欠透光部３３５，３３６は、遮光配線部３２５，３３１の長さ方向に並行して延在する形態とされる。このようにすれば、遮光配線部３２５，３３１が平面に視て略ストライプ状をなすこととなるから、上記した実施形態１のように遮光配線部３５，３６を平面に視て網目状に形成した場合に比べると、切欠透光部３３５，３３６の面積をより大きくすることができ、光硬化性接着材ＧＬに照射される光量をより多くすることができる。
【００８８】
＜実施形態５＞
本発明の実施形態５を図２８によって説明する。この実施形態５では、機能性パネル４１２の構成を変更したものを示す。なお、上記した実施形態１と同様の構造、作用及び効果について重複する説明は省略する。
【００８９】
上記した実施形態１では、機能性パネル１２が「視差バリア機能」と「タッチパネル機能」とを併有する複合機能型とされた場合を示したが、本実施形態に係る機能性パネル４１２は、図２８に示すように、「視差バリア機能」を有しておらず、「タッチパネル機能」のみを有する構成とされる。この機能性パネル４１２は、一枚のガラス製の基板３７上に上記した実施形態１にて説明したものと同じタッチパネルパターンが形成された構成となっている。このような機能性パネル４１２においても、基板３７に形成された遮光配線部に切欠透光部（遮光配線部共々図示せず）を形成することで、上記した実施形態１と同等の作用及び効果を得ることができる。なお、タッチパネルパターンや切欠透光部に関しては、上記した実施形態１と同様であるから、重複する説明は割愛している。
【００９０】
＜他の実施形態＞
本発明は上記記述及び図面によって説明した実施形態に限定されるものではなく、例えば次のような実施形態も本発明の技術的範囲に含まれる。
（１）上記した実施形態１〜４以外にも、切欠透光部の形状は適宜に変更可能である。例えば、図２９に示すように、平面に視て正方形をなす切欠透光部３５‐１（３６‐１）を形成するようにしてもよい。
【００９１】
（２）上記した（１）以外にも、例えば、図３０に示すように、平面に視て菱形をなす切欠透光部３５‐２（３６‐２）を形成することも可能である。
【００９２】
（３）上記した（１），（２）以外にも、図３１に示すように、平面に視て正三角形をなす切欠透光部３５‐３（３６‐３）を形成することも可能である。
【００９３】
（４）上記した（１）〜（３）以外にも、切欠透光部の平面形状を、星形、楕円形、五角形以上の多角形、台形などに変更することも可能である。
【００９４】
（５）上記した各実施形態では、複数の切欠透光部がほぼ等間隔に並列配置される構成を例示したが、複数の切欠透光部が不等間隔に並列配置される構成としたものも本発明に含まれる。
【００９５】
（６）上記した各実施形態では、切欠透光部が各遮光配線部の外縁部を避けた位置に配されたものを例示したが、切欠透光部が各遮光配線部における外縁部を切り欠くことで、各遮光配線部の外縁が凹形状となる構成としたものも本発明に含まれる。
【００９６】
（７）上記した各実施形態以外にも、各遮光配線部における切欠透光部の具体的な設置数（並列数）・平面に視た大きさ・配列方法などについては適宜に変更可能である。
【００９７】
（８）上記した各実施形態では、各遮光配線部における全長・全域にわたって切欠透光部が万遍なく形成されるものを例示したが、各遮光配線部に切欠透光部が形成される領域と、切欠透光部が形成されない領域とが存在する構成とすることも可能である。具体的には、例えば、各遮光配線部のうち光硬化性接着材と平面に視て重畳する領域（接着材重畳領域）については、切欠透光部を形成するものの、光硬化性接着材とは平面に視て重畳しない領域（接着材非重畳領域）については切欠透光部を形成しない構成とすることも可能である。このような構成であっても、上記した各実施形態と同等の作用及び効果を得ることができる。
【００９８】
（９）上記した実施形態５では、機能性パネルが視差バリア機能を有さず、タッチパネル機能のみを有する構成のものを示したが、逆に機能性パネルがタッチパネル機能を有さず、視差バリア機能のみを有する構成としたものも本発明に含まれる。その場合、上記した実施形態１に記載した機能性パネルからタッチパネルパターン及びタッチパネル用フレキシブル基板などを除去した構成とすればよい。
【００９９】
（１０）上記した各実施形態では、液晶パネルに対して機能性パネルが相対的に表側に配される構成のものを示したが、配置を逆転して、機能性パネルに対して液晶パネルが相対的に表側に配される構成とすることも可能である。その場合、貼り合わせに際して、紫外線を機能性パネルを通して裏側から光硬化性接着材に照射すればよい。なお、この構成は、上記した（９）の構成に適用するのがより好ましい。
【０１００】
（１１）上記した各実施形態では、機能性パネルにおける非表示重畳領域に配された各電位供給配線部及び各グランド配線部が共に遮光性金属材料により構成されたものを示したが、各電位供給配線部と各グランド配線部とのうちのいずれか一方について、各透光電極部と同様に透光性導電材料によって構成するようにしても構わない。
【０１０１】
（１２）上記した各実施形態では、光硬化性接着材として紫外線の照射によって硬化する紫外線硬化性樹脂材料を用いた場合を示したが、光硬化性接着材として可視光線の照射によって硬化する可視光線硬化性樹脂材料を用いるようにしてもよい。また、光硬化性接着材の材料として、例えばアクリルレートや不飽和ポリエステルを主成分としたラジカル重合型の光硬化性樹脂材料を用いることも可能である。
【０１０２】
（１３）上記した各実施形態では、機能性パネルが有するタッチパネルパターンを構成する各パッド電極部が平面に視て菱形をなすものを示したが、各パッド電極部の平面形状は適宜に変更可能であり、例えば正方形、長方形、星形、五角形以上の多角形、円形などとすることができる。
【０１０３】
（１４）上記した各実施形態では、タッチパネル用グランド配線部の一部が分断されていて有端環状をなす構成のものを示したが、タッチパネル用グランド配線部が、バリア用グランド配線部と同様に途中で途切れることがない無端環状をなす構成とされるものも本発明に含まれる。同様に、バリア用グランド配線部が、上記した各実施形態に係るタッチパネル用グランド配線部と同様に、一部が分断されていて有端環状をなす構成とされるものも本発明に含まれる。また、タッチパネル用グランド配線部とバリア用グランド配線部とのいずれか一方または双方を除去した構成のものも本発明に含まれる。
【０１０４】
（１５）上記した各実施形態では、液晶パネルにおける画素電極や機能性パネルにおける透光電極部に用いる材料としてＩＴＯを例示したが、それ以外にも、例えばＺｎＯ（Zinc Oxide：酸化亜鉛）など、希少金属であるインジウムを含まないものを用いることも可能である。
【０１０５】
（１６）上記した各実施形態では、機能性パネルにおける各バリア用透光電極部の一部に基準電位を供給することで、視差バリア機能を発揮させる駆動方法を例示したが、全てのバリア用透光電極部に対して基準電位とは異なる電位を供給することで、視差バリア機能を発揮させる駆動方法を採ることも可能である。
【０１０６】
（１７）上記した各実施形態では、機能性パネルにおけるタッチパネルパターンとして投影型静電容量方式のものを例示したが、それ以外にも、表面型静電容量方式、抵抗膜方式、電磁誘導方式などのタッチパネルパターンを採用したものにも本発明は適用可能である。
【０１０７】
（１８）上記した各実施形態では、液晶表示装置をポートレイト（縦置き）で使用した場合と、ランドスケープ（横置き）で使用した場合との双方において、立体画像を表示することが可能な構成のものを例示したが、ポートレイトまたはランドスケープのいずれか一方においてのみ、立体画像を表示することが可能な構成としたものにも本発明は適用可能である。
【０１０８】
（１９）上記した各実施形態では、使用者に立体画像を観察させるのに機能する機能性パネルを用いたものを示したが、例えば異なる２方向以上の視角に存する使用者に対して異なる画像を観察させる、いわゆるマルチビュー機能を得るための機能性パネルを用いたものにも本発明は適用可能である。
【０１０９】
（２０）上記した各実施形態では、機能性パネルに関して、平面画像表示と立体画像表示とを切り替え可能なアクティブ素子であるスイッチング液晶パネルを用いた場合を示したが、視差バリアとしてスイッチング液晶パネル以外のアクティブ素子を用いるようにしても構わない。
【０１１０】
（２１）上記（２０）以外にも、視差バリアとして、常時立体画像表示するものであって、平面画像表示との切り替えが不可能な非アクティブ素子を用いることができ、例えば所定の遮光パターンを有するマスクフィルタを用いることも可能である。
【０１１１】
（２２）上記した各実施形態では、液晶表示装置が備えるバックライト装置としてエッジライト型のものを例示したが、直下型のバックライト装置を用いるようにしたものも本発明に含まれる。
【０１１２】
（２３）上記した各実施形態では、外部光源であるバックライト装置を備えた透過型の液晶表示装置を例示したが、本発明は、外光を利用して表示を行う反射型液晶表示装置にも適用可能であり、その場合はバックライト装置を省略することができる。
【０１１３】
（２４）上記した各実施形態では、表示画面が長方形状をなす液晶表示装置を例示したが、表示画面が正方形とされる液晶表示装置も本発明に含まれる。
【０１１４】
（２５）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１１５】
（２６）上記した各実施形態では、表示パネルとして液晶パネルを用いた液晶表示装置を例示したが、他の種類の表示パネル（ＰＤＰや有機ＥＬパネルなど）を用いた表示装置にも本発明は適用可能である。その場合、バックライト装置を省略することも可能である。
【符号の説明】
【０１１６】
１０…液晶表示装置（表示装置）、１１…液晶パネル（表示パネル）、１１ａ…ＣＦ基板（基板）、１１ｂ…アレイ基板（基板）、１２…機能性パネル、１２ａ…第１基板（基板）、１２ｂ…第２基板（基板）、１３…バックライト装置（照明装置）、２４…バリア用透光電極部（透光電極部）、２４ｃ…延出接続部、２５…バリア用遮光配線部（遮光配線部、第１遮光配線部）、２６…バリア用電位供給配線部（電位供給配線部）、２６ａ…端子部、２７…バリア用グランド配線部（グランド配線部、第１遮光配線部）、２７ａ…端子部、２８…バリア用フレキシブル基板（フレキシブル基板）、２９…タッチパネル用透光電極部（透光電極部）、２９ｃ…延出接続部、３１…タッチパネル用遮光配線部（遮光配線部、第２遮光配線部）、３２…タッチパネル用電位供給配線部（電位供給配線部）、３２ａ…端子部、３３…タッチパネル用グランド配線部（グランド配線部、第２遮光配線部）、３３ａ…端子部、３４…タッチパネル用フレキシブル基板（フレキシブル基板）、３５…切欠透光部（第１切欠透光部）、３６…切欠透光部（第２切欠透光部）、ＡＡ…表示領域、ＢＡ…バリア部、ＢＯ…バリア開口部、ＧＬ…光硬化性接着材、ＮＡＡ…非表示領域、ＯＡＡ…表示重畳領域、ＯＮＡＡ…非表示重畳領域、
【図１】
2012144434.tif 000003
【図２】
2012144434.tif 000004
【図３】
2012144434.tif 000005
【図４】
2012144434.tif 000006
【図５】
2012144434.tif 000007
【図６】
2012144434.tif 000008
【図７】
2012144434.tif 000009
【図８】
2012144434.tif 000010
【図９】
2012144434.tif 000011
【図１０】
2012144434.tif 000012
【図１１】
2012144434.tif 000013
【図１２】
2012144434.tif 000014
【図１３】
2012144434.tif 000015
【図１４】
2012144434.tif 000016
【図１５】
2012144434.tif 000017
【図１６】
2012144434.tif 000018
【図１７】
2012144434.tif 000019
【図１８】
2012144434.tif 000020
【図１９】
2012144434.tif 000021
【図２０】
2012144434.tif 000022
【図２１】
2012144434.tif 000023
【図２２】
2012144434.tif 000024
【図２３】
2012144434.tif 000025
【図２４】
2012144434.tif 000026
【図２５】
2012144434.tif 000027
【図２６】
2012144434.tif 000028
【図２７】
2012144434.tif 000029
【図２８】
2012144434.tif 000030
【図２９】
2012144434.tif 000031
【図３０】
2012144434.tif 000032
【図３１】
2012144434.tif 000033
【国際調査報告】
2012144434.tif 000034
2012144434.tif 000035
2012144434.tif 000036
2012144434.tif 000037